(57)【要約】  無線通信システム(100)においてセルおよび無線アクセス技術（RAT)を選択するための無線通信デバイス(140)及び方法が開示される。無線通信デバイス（140）は、複数の受信モジュールと、少なくとも二つの加入者識別モジュール（SIM）とを備える。無線通信デバイス（140）は、無線通信システム（100）内の複数のRATおよびセルの性能を推定することに基づいて、第１のSIMのための第１の受信モジュールを使用してキャンプオンする第１のセルおよび第１のRATを決定する。無線通信デバイス（140）は、無線通信システム100内の複数のRATおよびセルの性能の推定に基づいて、第２の受信モジュールを使用して第２のSIMのためにキャンプオンする第２のセルおよび第２のRATを決定する。無線通信デバイス（140）は、決定されたセルおよびRATを有する前記第１および前記第２のSIMのアイドルモードタスクが時間的に重複しているかどうかを判定する。第１および第２のSIMのアイドルモードタスクが時間的に重複しない場合、無線通信デバイス（140）は、第１の受信モジュールまたは第２の受信モジュールを使用して第１および第２のSIMのアイドルモードタスクを処理する。第１および第２のSIMのアイドルモードタスクが時間的に少なくとも部分的に重複する場合、無線通信デバイス（140）は、アイドルモードタスクを第３の受信モジュールに移動させるSIMを第１および第２のSIMから選択し、第３の受信モジュールが選択されたSIMのアイドルモードタスクを処理することを可能にする。【選択図】図１
2019507977.tif 000002
【特許請求の範囲】
【請求項１】
無線通信システム（100）においてアイドル動作モードでセルおよび無線アクセス技術（RAT）を選択するための無線通信デバイス（140）で実行される方法であって、前記無線通信デバイス（140）は、複数の受信モジュールを含み、かつ少なくとも二つの加入者識別モジュール（SIM)を含み、前記方法は、
前記無線通信システム（100）内の複数のRATおよびセルの性能を推定することに基づいて、第１のSIMのための第１の受信モジュールを使用してキャンプオンする第１のセルおよび第１のRATを決定し（201）、
前記無線通信システム（100）内の前記複数のRATおよびセルの性能を推定することに基づいて、第２のSIMのための第２の受信モジュールを使用してキャンプオンする第２のセルおよび第２のRATを決定し（202）、
決定された前記セルおよびRATを有する前記第１および第２のSIMのアイドルモードタスクが時間的に少なくとも部分的に重複しているかどうかを判定し（203）、
前記第１および第２のSIMの前記アイドルモードタスクが時間的に重複しない場合、
前記第１の受信モジュールまたは前記第２の受信モジュールを用いて前記第１および第２のSIMの前記アイドルモードタスクを処理し（204）、
前記第１及び第２のSIMの前記アイドルモードタスクが時間的に少なくとも部分的に重複する場合、
第３の受信モジュールに前記アイドルモードタスクを移動させるSIMを前記第１および第２のSIMから選択し（205）、
前記第３の受信モジュールが、選択された前記SIMのアイドルモードタスクを処理することを可能にする（206）、方法。
【請求項２】
請求項１に記載の方法であって、少なくとも二つのそれぞれ異なるRATの性能がそれぞれのSIMについて推定される、方法。
【請求項３】
請求項１または２に記載の方法であって、前記複数のRATおよびセルの性能は、スループット、レイテンシ、移動度および電力消費のうちの少なくとも一つまたはそれらの組み合わせに基づいて推定される、方法。
【請求項４】
請求項１乃至３のいずれか一項に記載の方法であって、前記第１の受信モジュールと前記第２の受信モジュールとは同じである、方法。
【請求項５】
請求項１乃至３のいずれか一項に記載の方法であって、前記第３の受信モジュールは、前記第１の受信モジュールまたは前記第２の受信モジュールと同じである、方法。
【請求項６】
請求項３乃至５のいずれか一項に記載の方法であって、前記セル内のネットワークノードおよび／または前記無線通信デバイス（140）のマルチ入力マルチ出力（MIMO）、キャリアアグリゲーション、デュアル接続、変調と符号化、またはマルチキャリア能力の情報に基づいてスループットまたはレイテンシを推定する際に、チャネル帯域幅が考慮される、方法。
【請求項７】
請求項３乃至６のいずれか一項に記載の方法であって、スループットまたはレイテンシを推定する際に、移動度を理由としてキャリヤ周波数が考慮される、方法。
【請求項８】
請求項３乃至７のいずれか一項に記載の方法であって、スループットまたはレイテンシを推定する際に、前記セルのネットワーク負荷が考慮される、方法。
【請求項９】
請求項１乃至８のいずれか一項に記載の方法であって、前記アイドルモードタスクは、同期手順、ページング受信、ダウンリンク割り当ての周期的監視、信号強度測定、またはブロードキャストおよびマルチキャストデータの受信のうちの少なくとも一つを含む、方法。
【請求項１０】
請求項１乃至９のいずれか一項に記載の方法であって、前記アイドルモードタスクを第３の受信モジュールに移動させるSIMを前記第１および第２のSIMから選択すること（205）は、前記SIMの優先順位を比較することに基づいており、より低い優先順位を持つ前記SIMが、前記アイドルモードタスクを第３の受信モジュールに移動させるよう選択される、方法。
【請求項１１】
請求項１乃至９のいずれか一項に記載の方法であって、前記アイドルモードタスクを第３の受信モジュールに移動させるSIMを前記第１および第２のSIMから選択すること（205）は、それぞれの前記SIMについて決定されたそれぞれの前記セル及びRATのスループットまたはレイテンシを比較することに基づいており、より低いスループットまたはより高いレイテンシを有する前記SIMが、前記アイドルモードタスクを第３の受信モジュールに移動させるよう選択される、方法。
【請求項１２】
請求項１乃至９のいずれか一項に記載の方法であって、前記アイドルモードタスクを第３の受信モジュールに移動させるSIMを前記第１および第２のSIMから選択すること（205）は、最小総電力消費に基づいている、方法。
【請求項１３】
無線通信システム（100）においてアイドル動作モードでセルおよび無線アクセス技術（RAT）を選択するための無線通信デバイス（140）であって、前記無線通信デバイス（140）は、複数の受信モジュールを含み、かつ少なくとも二つの加入者識別モジュール（SIM)を含み、前記無線通信デバイス（140）は、
前記無線通信システム（100）内の複数のRATおよびセルの性能を推定することに基づいて、第１のSIMのための第１の受信モジュールを使用してキャンプオンする第１のセルおよび第１のRATを決定し、
前記無線通信システム（100）内の前記複数のRATおよびセルの性能を推定することに基づいて、第２のSIMのための第２の受信モジュールを使用してキャンプオンする第２のセルおよび第２のRATを決定し、
決定された前記セルおよびRATを有する前記第１および第２のSIMのアイドルモードタスクが時間的に少なくとも部分的に重複しているかどうかを判定し、
前記第１及び第２のSIMの前記アイドルモードタスクが時間的に重複しない場合、
前記第１の受信モジュールまたは前記第２の受信モジュールを用いて前記第１および第２のSIMの前記アイドルモードタスクを処理し、
前記第１および第２のSIMの前記アイドルモードタスクが時間的に少なくとも部分的に重複する場合、
第３の受信モジュールに前記アイドルモードタスクを移動させるSIMを前記第１および第２のSIMから選択し、
前記第３の受信モジュールが、選択された前記SIMのアイドルモードタスクを処理することを可能にする、よう構成された無線通信デバイス(140)。
【請求項１４】
請求項１３に記載の無線通信デバイス(140)であって、少なくとも二つのそれぞれ異なるRATの性能がそれぞれのSIMについて推定される、無線通信デバイス(140)。
【請求項１５】
請求項１３または１４に記載の無線通信デバイス(140)であって、前記複数のRATおよびセルの性能は、スループット、レイテンシ、移動度および電力消費のうちの少なくとも一つまたはそれらの組み合わせに基づいて推定される、無線通信デバイス(140)。
【請求項１６】
請求項１３乃至１５のいずれか一項に記載の無線通信デバイス(140)であって、前記第１の受信モジュールと前記第２の受信モジュールとは同じである、無線通信デバイス(140)。
【請求項１７】
請求項１３乃至１５のいずれか一項に記載の無線通信デバイス(140)であって、前記第３の受信モジュールは、前記第１の受信モジュールまたは前記第２の受信モジュールと同じである、無線通信デバイス(140)。
【請求項１８】
請求項１５乃至１７のいずれか一項に記載の無線通信デバイス(140)であって、前記セル内のネットワークノードおよび／または前記無線通信デバイス（140）のマルチ入力マルチ出力（MIMO）、キャリアアグリゲーション、デュアル接続、変調と符号化、またはマルチキャリア能力の情報に基づいてスループットまたはレイテンシを推定する際に、チャネル帯域幅が考慮される、無線通信デバイス(140)。
【請求項１９】
請求項１５乃至１８のいずれか一項に記載の無線通信デバイス(140)であって、スループットまたはレイテンシを推定する際に、移動度を理由としてキャリヤ周波数が考慮される、無線通信デバイス(140)。
【請求項２０】
請求項１５乃至１９のいずれか一項に記載の無線通信デバイス(140)であって、スループットまたはレイテンシを推定する際に、前記セルのネットワーク負荷が考慮される、無線通信デバイス(140)。
【請求項２１】
請求項１３乃至２０のいずれか一項に記載の無線通信デバイス(140)であって、前記アイドルモードタスクは、同期手順、ページング受信、ダウンリンク割り当ての周期的監視、信号強度測定、またはブロードキャストおよびマルチキャストデータの受信のうちの少なくとも一つを含む、無線通信デバイス(140)。
【請求項２２】
請求項１３乃至２１のいずれか一項に記載の無線通信デバイス(140)であって、前記アイドルモードタスクを第３の受信モジュールに移動させるSIMを前記第１および第２のSIMから選択すること（205）は、前記SIMの優先順位を比較することに基づいており、より低い優先順位を持つ前記SIMが、前記アイドルモードタスクを第３の受信モジュールに移動させるよう選択される、無線通信デバイス(140)。
【請求項２３】
請求項１３乃至２１のいずれか一項に記載の無線通信デバイス(140)であって、前記アイドルモードタスクを第３の受信モジュールに移動させるSIMを前記第１および第２のSIMから選択すること（205）は、それぞれの前記SIMについて決定されたそれぞれの前記セル及びRATのスループットまたはレイテンシを比較することに基づいており、より低いスループットまたはより高いレイテンシを有する前記SIMが、前記アイドルモードタスクを第３の受信モジュールに移動させるよう選択される、無線通信デバイス(140)。
【請求項２４】
請求項１３乃至２１のいずれか一項に記載の無線通信デバイス(140)であって、前記アイドルモードタスクを第３の受信モジュールに移動させるSIMを前記第１および第２のSIMから選択すること（205）は、最小総電力消費に基づいている、無線通信デバイス(140)。
【発明の詳細な説明】
【技術分野】
【０００１】
本明細書の実施形態は、無線通信デバイスおよびそこにおける方法に関する。具体的には、それらは、複数の受信モジュールと、アイドルモードで動作する少なくとも二つの加入者識別モジュール（SIM）とを含む無線通信デバイスにおけるセルおよび無線アクセス技術（RAT）の選択に関する。
【背景技術】
【０００２】
無線通信デバイスは、携帯電話、ユーザ機器（UE）、無線端末、携帯端末、移動局、セルラ電話、スマートフォン、ラップトップ、タブレットおよびファブレット（すなわちスマートフォンとワイヤレス機能を備えたタブレットとの組み合わせ）と呼ばれることがある。無線通信デバイスは、アクセスノードまたはアクセスポイントを有する複数のネットワークまたは異種ネットワーク（HetNet）を含む無線通信システムにおいて無線で通信または動作することが可能になる。異種ネットワークは、例えば、移動通信のためのグローバルシステム（Global System for Mobile Communications（GSM））、広帯域符号分割多元アクセス（Wideband Code Division Multiple Access（WCDMA））または高速パケットアクセス（High Speed Packet Access（HSPA））などの第２/第３世代（2G/3G）ネットワークを含むセルラ通信ネットワーク、3G長期発展（LTE）ネットワーク、マイクロ波アクセスのためのワールドワイド相互運用性（WiMAX）ネットワーク、無線ローカルエリアネットワーク（WLAN）またはWiFiなど、それぞれ異なるタイプの無線アクセス技術（RAT）を提供するために含んでいてよい。無線通信ネットワークは、セルまたはカバーエリアとに分割された地理的領域をカバーしていてよく、各セルは、サービングネットワークノード、アクセスノード、アクセスポイント、または基地局（例えばeNodeBまたはNodeB）とも呼ばれ得るネットワークノードによってサービスされる。
【０００３】
既存の世代をアップグレードすると同時に新しい世代のセルラーシステムを開発することにより、アクセス可能なネットワークおよびRATの幅を広げることができる。以前は、どのシステムまたはネットワークを用いるかという選択は、選択できるならば、ほとんどの場合、最新のものであった。現在、多くの場合LTEである。事業者にとっては、負荷が重く、おそらくは効率も低い古いネットワークから、より新しい、負荷が軽く、より能力の高い新しいネットワークにトラフィックをシフトできるという利点があり得る。しかし、ほとんどの無線通信デバイスには最新世代のシステムが搭載されているため、全てのLTE対応の無線通信デバイスをLTEネットワークに進めることは、ネットワーク全体の性能を最適化するためには好ましい方法ではない可能性がある。
【０００４】
無線通信デバイスがそれぞれ異なるRATを有する複数のネットワークにアクセスする環境において、従来技術の方法は、無線通信デバイスに、好適なRAT、例えばLTE（好適な）/WCDMA（HSPA）/GSMを示す設定を使用することにより、ネットワーク選択の影響を及ぼす。したがって、LTEネットワークからの信号が受信できる限り、無線通信デバイスは、他のネットワークのうちの一つ、例えばHSPAの代わりにこれを使用する。例えば、LTEとHSPAの両方が共存する環境では、二つのRATのためのデータレートは同等である。さらに、LTEとHSPAの両方がマルチキャリアシグナリングを可能にする。LTEでは、この能力はキャリヤアグリゲーション（CA）と呼ばれ、最大５つのLTEキャリアを集約することができ、HSPAではマルチキャリヤ（MC）と呼ばれ、最大８つのHSPAキャリアを集約できる。
【０００５】
今日、他の発生するシナリオは、同じデバイス内の一または複数の事業者からの二つ以上の加入者識別モジュール（SIM）を運ぶことができる複数のSIMデバイスである。これは第３世代パートナーシッププロジェクト（3GPP）によって標準化されていないが、特にアジアでは、事実上の標準になっている。多くの市場では、デュアルSIMデュアルスタンバイ（DSDS）を最低限サポートできる機能を持たずに、ミッドエンドデバイスの事業者の承認と数量を得ることは困難である。DSDSをサポートする能力は、UEが二つのセルに同時にキャンプオンすること、または一つのセルに接続して他のセルにキャンプオンすることを可能にする。両方のSIMが同じ事業者からのものである場合、UEは時には同一のセルにキャンプオンするが、二つのそれぞれ異なるＩＤおよび関連付けられたページング機会を有することがある。ハイエンドデバイスの承認を得るためには、一般的には、デュアルSIMデュアルアクティビティ（DSDA）をサポートする必要があり、それによってUEが二つのセルに同時に独立して接続できる。
【０００６】
アジア市場でのDSDS/DSDAデバイスの人気は、いくつかの要因によって決まる。一つの要因は、事業者が、例えばデータと音声について異なる価格プランを有したり、あるいは、同じ又は他のネットワーク内の加入者に電話することに応じた異なる価格プランを有することであってよい。他の要因は、例えば、それぞれ異なる事業者によるそれぞれ異なるサービスエリアすなわちむらのあるサービスエリア、または、事業者の間で携帯電話番号を移動することができないことである。この傾向は、二つ以上のSIMを同時にサポートする方向に向かい、いくつかのUEベンダーによって、三つおよび四つのSIM（トリプルSIMトリプルスタンバイ（TSTS）およびクワッドSIMクワッドスタンバイ（QSQS））をサポートするデバイスが発表されている。
【０００７】
アクティブモードのDSDAデバイスでは、例えば両方のSIMに対して同時にパケット交換（PS）サービスを使用することができ、又は、一方についてはPSサービスを使用し、他方については回線交換（CS）サービスを使用することができるので、UEが各接続に対して別個の受信機を使用することが必要である。したがって、DSDS/DSDA、TSTS/QSQSおよびそれぞれ異なるRATをサポートするために、無線通信デバイスは通常複数の受信モジュールを備える。
【０００８】
複数のSIMおよび複数の受信モジュールを有する無線通信デバイスの性能を改善するために、アイドル動作モードにあるときに各SIMについてキャンプオンするセルおよびRATを選択し、すべてのSIMについてセルおよびRATの選択を最適化することが望ましい。
【０００９】
EP2613592では、単一SIMのUEが使用するのに最適な適切なRATを得る方法が開示されている。利用可能なRATのそれぞれについて、スループットおよび/またはレイテンシ、帯域幅、基準信号受信電力（RSRP）または基準信号受信品質（RSRQ）などのパラメータを測定してよく、高性能に関して最良の値を有するRATが選択される。
【００１０】
しかし、複数のSIMを有する無線通信デバイス内のすべてのSIMに対するRAT選択に同じまたは同様の原則を適用することは、いくつかの問題に遭遇する可能性がある。アイドルモードの場合と同様に、通常、単一の受信機が使用される。すなわち、省電力の理由から、無線リソースまたは受信モジュールがSIM間で共有され、それぞれのSIMのための最良のRATの独立した選択は、それぞれの接続のアイドルモード手順の間、無線通信デバイスの無線リソース管理にトラブルを引き起こす可能性がある。
【００１１】
EP2605558では、電力最適化のためのアイドルモードにおけるデュアルSIMのUEについてのRAT選択の方法が開示されている。例えば、電力消費を低減するために、性能中心の第２のRATより小さい帯域幅を提供するが、動作する電力をより小さくする第１のRATを使用することができる。両方のSIMがアイドル状態ならば、RATタイプ（2G/3G/4G）、信号強度、セル識別子、または他の表示(indicia)のようなRATの表示によってRATを検索して発見することができる。アイドルモードにあるとき、無線周波数（RF）インタフェースまたはリソースが二つのSIM間で共有されるので、第１のRATに従っていずれかのSIMに対する着信を監視することができる。接続モードの間、第１のSIMのアイドルモードで使用される第１のRATは、第２のRATに切り替えることができる。この方法の一つの制限は、両方ともアイドルモードにあるときに第１および第２のSIMが同じRATを使用せざるを得ないことである。選択されたRATによって提供されるサービスエリアは、第１または第２のSIMがそれぞれ異なる事業者からのものである場合、第１または第２のSIMの一方には好適でない場合がある。
【００１２】
WO2012055434には、複数のSIMを有するUEを動作させる方法と、異なる動作モードで複数の無線ブランチを含むマルチ入力/マルチ出力（MIMO）機能が開示される。第１の動作モードでは、二つ以上の無線ブランチが、単一のSIMを使用して単一のネットワークと情報を交換するために使用される。第２の動作モードでは、それぞれ異なるSIMを使用してそれぞれ異なる通信ネットワークと情報を交換するために、それぞれ異なる無線ブランチが使用される。第１及び第２の動作モードは、データレート、受信品質、又は様々なネットワークで同時に受信及び送信することのようなそれぞれ異なる要件に応じて切り替えることができる。この方法は接続モードに焦点を当て、ユーザのニーズおよびそれぞれ異なる受信状況に応じてユーザ機器を柔軟に使用できるようにする。しかしながら、アイドルモードでそれぞれのSIMについてキャンプオンするセルおよびRATは好ましくない。したがって、それぞれ異なる動作モードについてそれぞれのSIMのために使用されるセルおよびRATは最適ではない可能性があり、一旦接続をセットアップすると、シグナリングと接続の中断を招くリスクとを増大させる可能性のあるハンドオーバが必要となり、サービス品質が低下する可能性がある。
【発明の概要】
【００１３】
したがって、本明細書の実施形態の目的は、無線通信システムにおいて複数のSIMおよび複数の受信モジュールを有する無線通信デバイスのための改善されたRATおよびセル選択および無線リソース管理を提供することである。
【００１４】
本明細書の実施形態の第１の態様によれば、目的は、無線通信システムにおいてセルおよび無線アクセス技術（RAT）を選択するための無線通信デバイスにおいて実行される方法によって達成される。前記無線通信デバイスは、複数の受信モジュールと、少なくとも二つの加入者識別モジュール（SIM）とを備える。無線通信デバイスは、前記無線通信システム内の複数のRATおよびセルの性能を推定することに基づいて、第１のSIMのための第１の受信モジュールを使用してキャンプオンする第１のセルおよび第１のRATを決定する。前記無線通信デバイスは、前記無線通信システムにおける前記複数のRATおよびセルの性能を推定することに基づいて、第２のSIMのための第２の受信モジュールを使用してキャンプオンする第２のセルおよび第２のRATを決定する。前記無線通信デバイスは、決定されたセルおよびRATを有する前記第１および前記第２のSIMのアイドルモードタスクが時間的に重複しているかどうかを判定する。前記第１および前記第２のSIMの前記アイドルモードタスクが時間的に重複しない場合、前記無線通信デバイスは、前記第１の受信モジュールまたは前記第２の受信モジュールを使用して前記第１および前記第２のSIMの前記アイドルモードタスクを処理する。前記第１および前記第２のSIMの前記アイドルモードタスクが時間的に少なくとも部分的に重複する場合、前記無線通信デバイスは、前記アイドルモードタスクを第３の受信モジュールに移動させるSIMを前記第１および前記第２のSIMから選択する。次いで、前記無線通信デバイスは、前記第３の受信モジュールが前記選択されたSIMのアイドルモードタスクを処理することを可能にする。
【００１５】
本明細書の実施形態の第２の態様によれば、目的は、前記無線通信システムにおいて、セルおよび無線アクセス技術（RAT）を選択するための無線通信デバイスによって達成される。前記無線通信デバイスは、複数の受信モジュールと、少なくとも二つの加入者識別モジュール（SIM）とを備える。前記無線通信デバイスは、前記無線通信システム内の複数のRATおよびセルの性能を推定することに基づいて、第１のSIMのための第１の受信モジュールを使用してキャンプオンする第１のセルおよび第１のRATを決定するように構成される。前記無線通信デバイスは、前記無線通信システム内の前記複数のRATおよびセルの性能を推定することに基づいて、第２のSIMのための第２の受信モジュールを使用してキャンプオンする第２のセルおよび第２のRATを決定するようにさらに構成される。前記無線通信デバイスは、決定されたセルおよびRATを有する前記第１および前記第２のSIMのアイドルモードタスクが時間的に重複しているかどうかを判定するように構成される。前記第１及び前記第２のSIMのアイドルモードタスクが時間的に重複しない場合、前記無線通信デバイスは、前記第１の受信モジュールまたは前記第２の受信モジュールを使用して前記第１および前記第２のSIMの前記アイドルモードタスクを処理するように構成される。前記第１および前記第２のSIMの前記アイドルモードタスクが時間的に少なくとも部分的に重複する場合、前記無線通信デバイスは、前記アイドルモードタスクを第３の受信モジュールに移動させるSIMを前記第１および前記第２のSIMから選択し、前記第３の受信モジュールが前記選択されたSIMの前記アイドルモードタスクを処理することを可能にする用構成される。
【００１６】
本明細書の実施形態によれば、前記セルおよびRATは、前記無線通信システムにおける複数のRATおよびセルの性能を評価することに基づいて、各SIMについて決定される。複数のRATおよびセルの性能は、スループット、レイテンシまたは電力消費に基づいて推定され得るため、前記決定されたセルおよびRATは最良の性能を有し、それぞれのSIMのための最良のセルおよびRATである。
【００１７】
前記最良のセルおよびRATがそれぞれのSIMについて決定された後、前記第１および前記第２のSIMの前記アイドルモードタスクは、それらが時間的に重複しているかどうかチェックされる。この場合、前記SIMの一つは、前記アイドルモードタスクを処理するために異なる受信モジュールを使用する必要がある。前記第１および前記第２のSIMの前記アイドルモードタスクが時間的に重複しない場合、第１および第２のSIMのアイドルモードタスクは、同じ受信モジュールを使用して処理される。このようにして、前記アイドルモードタスクを別の受信モジュールに移動させるSIMのうちの少なくとも一つを適合させることができ、その結果、前記無線通信デバイスにおける無線リソース管理を最適化して電力を節約することができる。さらに、どのSIMが前記アイドルモードタスクを移動する必要があるかを決定することによって、SIMの選択は、例えばSIM優先順位、それぞれのSIMについて前記選択されたセル及びRATのスループットまたはレイテンシに基づいてよい。さらに、複数の受信モジュールの性能、例えば、消費電力、受信機の線形性、感度、帯域幅なども、アイドルモードタスクに関して考慮に入れることができる。例えば、低性能であるが低電力消費の受信モジュールは、より低い優先度を有するSIMのアイドルモードタスクを処理するために、またはスループットまたはレイテンシ要件があまり厳しくないSIMのアイドルモードタスクを処理するために使用され得る。その結果、無線通信デバイスの全体的な性能を改善することができる。
【００１８】
結論として、RATの性能に基づいてセルおよびRATを決定することにより、それぞれのSIMについてキャンプオンする最良の可能なセルおよびRATを選択することができる。さらに、アイドルモードタスクに基づいて選択されたSIMのための受信モジュールを使用可能にすることを適合させることにより、アイドルモードタスクを実行するための複数受信機能は、アイドルモードの電力消費を最小限に抑えることが本当に必要な場合にのみ有効化される。したがって、本明細書の実施形態は、サポートされているすべてのSIMのためのRATおよびセルの最適化された選択のための改良された方法を提供すると同時に、無線通信デバイスにおけるアイドルモード中の無線リソースの最適化された管理を提供する。
【図面の簡単な説明】
【００１９】
本明細書の実施形態の例は、添付の図面を参照してより詳細に説明される。
【図１】図１は、無線通信システムの実施形態を説明する概略ブロック図である。
【図２】図２は、無線通信デバイスにおける方法の実施形態を説明するフローチャートである。
【図３】図３は、無線通信デバイスの実施形態を説明する概略ブロック図である。
【発明を実施するための形態】
【００２０】
図１は本明細書の実施形態を実装することができる無線通信システム100の一例を示す。無線通信システム100は、例えば、それぞれ異なるRATを提供するために、任意の2G、3G、4GまたはLTEネットワーク、WiMAX、WLANまたはWiFi、ブルートゥースなどの一つ以上の無線通信ネットワークを含む。
【００２１】
各無線通信ネットワークは、セルまたはカバーエリアに分割された地理的エリアをカバーすることができる。各セルエリアは、それぞれの無線通信ネットワーク内で動作するネットワークノードによってサービスされる。図１では、三つのネットワークノード（ネットワークノード111、ネットワークノード121、およびネットワークノード131）が示されている。本明細書で使用されるネットワークノードという用語は、サービングネットワークノード、アクセスノード、アクセスポイント、または基地局とも呼ばれる。したがって、無線通信システム100は、それぞれ異なる可能性のあるRATを有するセルにサービスを提供する複数のネットワークノードを備え、その中に位置する複数の無線通信デバイスのための通信をサポートすることができる。ネットワークノード111はセル110にサービスを提供し、第１のRAT（RAT1）を提供し、ネットワークノード121はセル120にサービスを提供し、第２のRAT（RAT2）を提供し、ネットワークノード131はセル130にサービスを提供し、第３のRAT（RAT3）を提供する。RAT（RAT1、RAT2およびRAT3）は、同一またはそれぞれ異なるRAT、例えばLTE、WCDMA、GSMまたは拡張データGSM発展（EDGE)等であってよい。
【００２２】
複数の無線通信デバイスが無線通信システム100内で動作し、そのうちの一つ、無線通信装置140が図１に示されている。
【００２３】
無線通信デバイス140は、例えば、移動端末または移動局、無線端末、ユーザ機器、携帯電話、ラップトップやパーソナルディジタルアシスタント（PDA)またはタブレットコンピュータなどのコンピュータであってよい。無線通信デバイス140は少なくとも二つのSIMを備え、図１に示したその無線通信デバイス140はSIM1、SIM2、SIM3を含む。少なくとも二つのSIMは、それぞれ異なる事業者に属してもよく、例えば、それはそれぞれ異なる加入を提供してもよく、またはそれぞれ異なるRATを提供してもよく、例えば都市または地方においてそれぞれ異なるカバーエリアまたはセルでそれぞれ異なるスペクトルを使用してもよい。さらに、二つ以上のSIMのサービス加入は、一つのSIMが全排他的サービスを提供し、他方が基本的な過去世代サービスのみを提供するなど、異なっていてよい。
【００２４】
無線通信デバイス140は、複数の無線受信モジュールを備え、図１に示すその無線通信デバイス140は、三つの無線受信モジュールRX1、RX2、RX3を含む。
【００２５】
次に、図２を参照して、無線通信システム100においてセルおよび無線アクセス技術を選択するための無線通信デバイス140において実行される方法の実施形態の例について説明する。無線通信デバイス140は、複数の受信モジュールRX1、RX2、RX3と、少なくとも二つの加入者識別モジュール（SIM）とを含み、アイドル動作モードにある。この方法は、以下のアクションを含み、これらのアクションは、任意の適切な順序で取ることができる。
【００２６】
いくつかの実施形態によれば、無線通信デバイス140は、二つ以上のそれぞれのSIMのための管理ユニットを含み、管理ユニットの各々は、それぞれのSIMのためのアイドルモード手順の管理、すなわち、キャンプオンするなどのために最適なセルおよびRATの探索および決定を行う。したがって、無線通信デバイス140は、以下の動作を実行する。
【００２７】
アクション201
無線通信デバイス140は、無線通信システム100内の複数のRATおよびセルの性能の推定に基づいて、第１の受信モジュールを使用して第１のSIMのためにキャンプオンする第１のセルおよび第１のRATを決定する。
【００２８】
アクション202
無線通信デバイス140は、無線通信システム100内の複数のRATおよびセルの性能の推定に基づいて、第２の受信モジュールを使用して第２のSIMのためにキャンプオンする第２のセルおよび第２のRATを決定する。
【００２９】
いくつかの実施形態によれば、第１および第２の受信モジュールは同じである。したがって、無線通信デバイス140は、それぞれのSIMについて同一の受信モジュールを使用するセルおよびRATを決定し、それによって電力消費を低減することができる。
【００３０】
いくつかの実施形態によれば、少なくとも二つのそれぞれ異なるRATの性能がそれぞれのSIMについて推定されてもよい。
【００３１】
いくつかの実施形態によれば、複数のRATおよびセルの性能は、スループット、レイテンシ、移動度および電力消費のうちの少なくとも一つまたはそれらの組み合わせに基づいて推定されてもよい。
【００３２】
例えば、最良の予想スループットを与えるRATは、それぞれのSIMについて決定されてもよい。
【００３３】
スループットに基づいてRATおよびセル選択を決定するいくつかの理由および利点がある。第１の点は、複数のSIMが同じ事業者に属していなくてもよいことである。例えば一方はLTEの加入を提供し、他方はHSPAの加入を提供してよい。第２の点は、事業者が、郊外と比較して都市部で異なる技術を提供したり、異なるスペクトルを使用したりしてよいことである。第３の点は、一方のSIMが全排他的サービスを提供でき、他方が基本的な過去世代サービスのみを提供できるなど、二つ以上のSIMのサービス加入がそれぞれ異なっていてよいことである。したがって、スループットは、それぞれ異なるRATを有する異種環境において提供される可能性のあるサービスのより良い指標を与えるため、例えば、従来の信号対雑音比（SNR）よりも適切なパラメータである。
【００３４】
一方、レイテンシに基づいてセルおよびRAT選択を決定することは、いくつかの実施形態においていくつかの利点も有する。例えば、最小のレイテンシを有するRATがそれぞれのSIMのために選択されてもよい。それにより、いくつかの用途、例えば、ユーザが気付かないようにするために送信が特定のレイテンシを超えてはならないことが要求される遠隔表示などの最優先で実行されるメッセージ通信又は代替不能のメッセージ通信、リアルタイムサービスまたは触覚的サービス、またはユーザインターフェースのために、送信レイテンシが短縮でき、それにより無線通信デバイスの性能を向上させることができる。さらに、Acknowledged/Not Acknowledged（ACK/NACK）往復時間は、新しいパケットが送信されることを制限し、したがって性能を制限するので、高レイテンシネットワークでは、かなり大きなACK/NACKシグナリングを伴う小さなTCP（Transmission Control Protocol）パケットが損害を被る可能性がある。レイテンシに基づいてセルおよびRATの選択を決定することにより、レイテンシの小さいネットワークを選択することができる。
【００３５】
無線通信デバイス140は、それぞれ異なるSIMに対するそれぞれ異なるサービス要求および/またはアプリケーションがあるので、スループットの推定に基づいて第１のSIMのためのキャンプオンする第１のセルおよびRATを決定し、レイテンシの推定に基づいて第２のSIMのためのキャンプオンする第２のセルおよび第２のRATを決定することができ、またはその逆の場合がある。
【００３６】
いくつかの実施形態によれば、少なくとも二つのそれぞれ異なるRATのスループットまたはレイテンシがそれぞれのSIMについて推定される。ここでは、三つのそれぞれ異なるRAT、例えば、LTE、HSPA、EDGEについてスループットを推定する方法を説明する。しかしながら、この方法はこれらのRATに限定されない。
【００３７】
LTEでは、予想されるスループットは例えば次のように計算される。セル固有基準信号（Cell-Specific Reference Signal（CRS））、チャネル状態情報基準信号（Channel State Information Reference Signal（CSI-RS））または復調基準信号（Demodulation Reference Signal（MRS））シンボルのうちのいずれか一つまたは複数を利用して、そこから信号対ノイズ比（SNR）および相互情報量（MI）、すなわち、LTEの副搬送波が現在のチャネルを介して送信できる情報量を推定することができる。MIのサブバンドまたは広帯域推定のいずれかに基づいて、物理ブロードキャストチャネル（PBCH）のマスタ情報ブロック（MIB）の一部であるチャネルの帯域幅を読み取り、帯域幅から導出されたLTE副搬送波の数を各副搬送波についてのMIに乗算することによって、LTEチャネルの予想されるスループットを推定することが可能である。
【００３８】
ネットワークノード111,121,131および無線通信デバイス140の両方が、空間ダイバーシティMIMO（マルチ入力マルチ出力）チャネルを使用してMIMO送信が可能な場合、LTEが提供するMIMO機能を十分に活用するために、個々のレイヤのMIが蓄積される。したがって、いくつかの実施形態によれば、セル110,120,130内のネットワークノード111,121,131および/または無線通信デバイス140のMIMO能力が、スループットを推定する際に考慮される。
【００３９】
HSPAでは、同様の手順が、SNRとMIの両方を推定することができる共通パイロットチャネル（CPICH）を使用することで進められる。これらを得たら、予想されるスループットを計算することができる。ここでも、スループットを推定する際に、ネットワークノード1111、121、131および無線通信デバイス140のどのMIMO能力も含まれる。
【００４０】
EDGEでは、予想される最大スループットは、システム情報ブロック（SIB）を読み取ることによって決定され得る。第３世代パートナーシッププロジェクト(3GPP)標準の定義では、その中に含まれる情報の種類によって特徴づけられるSIB1からSIB13までの13個のSIBがある。SIB13を読むことから、基地局によってサポートされるマルチスロットクラスおよび最高の変調次数が取得され得る。最大スループットは、それから、信号対雑音干渉比(Signal-to-Noise-and-Interference Ratio(SINR)）または受信信号強度インジケータ（Received Signal Strength Indicator(RSSI)）によってスケーリングされ、予想されるスループットが推定される。
【００４１】
無線通信デバイス140が設計され、スキャンが行われるすべての周波数帯域であって、その各帯域について動作中のRAT（例えばLTE、WCDMAまたはGSM）を識別する、そのすべての周波数帯域にわたってスペクトルをスキャンすると、無線通信デバイス140は、最良の候補の予想スループットを計算するためにスキャンの結果を使用し、最高のスループットを提供する可能性が最も高い候補を選択する。
【００４２】
本明細書のいくつかの実施形態によれば、それぞれのSIMに対するセルおよびRATの決定は、無線通信システム100内の複数のRATおよびセルのレイテンシに基づいてよい。
【００４３】
セルおよびRATのレイテンシは、測定又は応用手続きにおいて以前に測定または推定された、無線通信デバイス140に格納されたレイテンシ情報から得ることができる。無線通信デバイス140は、ネットワークノード111、121、131にping信号を送信することを通して、往復時間、すなわち、特定のRATを有するネットワークノードと無線通信デバイス140との間の送信時間を測定することによって、セルおよびRATのレイテンシを測定することができる。通信装置140は、それぞれ異なるRATについて往復時間を比較し、より短い往復時間、すなわちより小さいレイテンシを持つセルおよびRATを選択してよい。
【００４４】
本明細書のいくつかの実施形態によれば、チャネル帯域幅は、セルおよび／または無線通信デバイス140にサービスを提供するネットワークノードのMIMO、キャリアアグリゲーション(CA)、デュアル接続(DC)、MA機能、またはマルチキャリア能力の情報に基づいてスループットまたはレイテンシを推定する際に考慮される。例えば、ネットワークノード111,121,131および無線通信装置140の両方が、CA、DCまたはMCの能力をそれぞれ有する場合、予測されるスループットは、CA、DCまたはMCから来るどんな利得も含むように修正されてよい。データチャネルが実際にセットアップされない限り、CA、DCまたはMCに関する情報はシグナリングされないので、無線通信デバイス140がそれ自体の記録を保持しない限り、この情報は通常利用可能ではない。
【００４５】
変調次数および符号化率がより高くなれば、より多くのビットを各変調シンボルによって送信することが可能になることと、符号化に導入される冗長ビットの数を減少させることのそれぞれによって、スループットが増大する。各物理リソースでより多くの情報ビットが送信されるので、スループットを大幅に向上させることができる。例えば、256QAM変調は、他の変調より高い変調次数を提供する。したがって、いくつかの実施形態によれば、スループットまたはレイテンシを推定する際に、変調および符号化能力を考慮に入れることができる。
【００４６】
本明細書のいくつかの実施形態によれば、スループットまたはレイテンシを推定する際に、移動度のためにキャリア周波数を考慮に入れることができる。モバイル環境では低いキャリア周波数が好ましいが、それというのは、このことが、セル範囲がより長く、ハンドオーバが少なく、したがって信頼性が高く、中断が少ないことを意味し、レイテンシがより短いことを意味するからである。
【００４７】
本明細書のいくつかの実施形態によれば、セルのネットワーク負荷は、スループットおよびレイテンシを推定する際に考慮される。例えば、無線通信デバイス140は、ネットワーク負荷に関する情報を取得することができ、この情報は、ネットワークの予想されるスループットを推定する際に含まれ得る。無線通信デバイス140は、より負荷の高いネットワーク内のすべてのネットワークリソースを取得する可能性が低いため、予想されるスループットは、負荷によって、例えば数１によってスケーリングすることで補償することができる。
【００４８】
【数１】
2019507977.tif 000003
【００４９】
ここで、E[ψ]は補償されていない予測スループットであり、ρは負荷係数（０＜ρ＜１）であり、
【００５０】
【数２】
2019507977.tif 000004
【００５１】
は補償されたスループットである。
【００５２】
いくつかの実施形態によれば、無線通信デバイス140は、消費電力に基づいてRATおよびセル選択を決定することができる。例えば、それぞれ異なる受信モジュールは、それぞれ異なるRATなどに対してそれぞれ異なる電力消費または性能を有することができる。セルとRATおよび受信モジュールのいくつかまたはすべての組み合わせの電力消費を比較して、最も低い電力消費を有するセル、RATおよび受信モジュールの組み合わせを特定することができる。
【００５３】
各SIMに対するセル及びRATの決定は、例えば、初期セル探索中に行うことができる。したがって、まず、例えば。SIM1について、最良のキャンプ用セルとRATが決定される。最良のキャンプ用セル及びRATに関する情報、及び例えば、決定されたRATの規格に従って定義されたページングや信号強度測定などのためのタイミング情報は、無線通信デバイス140のメモリに格納されてもよい。SIM2、SIM3などについても同じ手順が実行される。
【００５４】
アイドルモードでは、無線通信デバイス140は、例えばページングを監視し、移動管理を実行する。省電力の理由から、RFユニット、例えば、無線通信デバイス140内の無線受信機または無線受信モジュールは、アイドルモードで二つ以上のそれぞれ異なるSIM間で共有される必要がある。例えば、両方のSIMがアイドルモードにある場合、受信モジュールの一方のみを時分割で使用して、第１のネットワークへの接続性を維持し、第２のネットワークに対するページングを監視することが魅力的である可能性がある。従って、全てのSIMについて最良のセル及びRATが決定された後、無線通信デバイス140は、第１及び第２のセル内の第１及び第２のSIMのアイドルモードタスクが、無線受信モジュールを使用する必要性において衝突しているかどうかをチェックする必要がある。これにより、無線通信デバイス140において、以下のような動作が行われることになる。
【００５５】
アクション203
無線通信デバイス140は、決定されたセルおよびRATを有する前記第１および前記第２のSIMのアイドルモードタスクが時間的に重複しているかどうかを判定する。
【００５６】
本明細書のいくつかの実施形態によれば、アイドルモードタスクは、同期手順、ページング受信、ダウンリンク割り当ての周期的監視、信号強度測定、またはブロードキャストおよびマルチキャストデータの受信、例えばLTEにおけるマルチキャスト−ブロードキャスト単一周波数ネットワーク（MBSFN）チャネルを受信すること、のうちの少なくとも一つを含むことができる。
【００５７】
いくつかの実施形態によれば、無線通信デバイス140は、それぞれのSIMについて決定されたキャンプ用セルおよびRATのページングおよび／または測定タイミングに基づいて、例えばページング信号を受信したり測定結果を送信するなどのために、無線受信モジュールを必要とする時間間隔が少なくとも部分的に重複しているかどうかを判定する。
【００５８】
アイドルモードタスクが時間的に重複していない場合、無線通信デバイス140において以下の動作が実行される。
【００５９】
アクション204
無線通信デバイス140は、第１の受信モジュールまたは第２の受信モジュールを用いて第１および第２のSIMのアイドルモードタスクを処理する。すなわち、同じ受信モジュールを使用して第１および第２のSIMのアイドルモードタスクを時分割で処理して、電力消費を最小限にする。第１または第２の受信モジュールのどちらが使用されるかは、その性能、例えば消費電力、線型性、感度、帯域幅などに依存してよい。第１および第２のSIMのアイドルモードタスクの線形性、感度または帯域幅に関する要求が低い場合、性能は低いが電力消費量の低い受信モジュールを使用してよい。
【００６０】
アイドルモードタスクが時間的に少なくとも部分的に重複する場合、SIMのうちの一つは、アイドルモードタスクを処理するために異なる受信モジュールを使用する必要がある。これにより、無線通信デバイス140において、以下のような動作が行われることになる。
【００６１】
アクション205
無線通信デバイス140は、アイドルモードタスクを第３の受信モジュールに移動させるSIMを選択する。
【００６２】
アクション206
無線通信デバイス140は、第３の受信モジュールが、選択されたSIMのアイドルモードタスクを処理することを可能にする。
【００６３】
いくつかの実施形態によれば、第３の受信モジュールは、第１の受信モジュールまたは第２の受信モジュールと同じであってもよい。つまり、選択されたSIMが第２のSIMであり、無線通信デバイス140が第１の受信モジュールを使用して第１のSIMのアイドルモードタスクを処理する場合、第２のSIMのアイドルモードタスクは第２の受信モジュールに移動される、すなわち第３の受信モジュールは第２の受信モジュールと同じである。選択されたSIMが第１のSIMであり、無線通信デバイス140が第２の受信モジュールを使用して第２のSIMのアイドルモードタスクを処理する場合、第１のSIMのアイドルモードタスクは第１の受信モジュールに移動される、すなわち第３の受信モジュールは、第１の受信モジュールと同じである。三つ以上のSIMがあり、第１および第２の受信モジュールの両方が使用される場合、第３の受信モジュールは、選択されたSIMのアイドルタスクを処理することが可能になる。
【００６４】
したがって、同じ無線リソースまたは受信モジュールに対する必要性が部分的に重複する場合、無線通信デバイス140は、アイドルモードタスクを別の受信モジュールに移動する必要があるSIMを決定する。このようにして、アイドルモードのタスクを別の受信モジュールに移動させるSIMのうちの少なくとも一つの適合を行うことができ、無線通信デバイスにおける無線リソース管理を最適化して電力を節約することができる。
【００６５】
本明細書のいくつかの実施形態によれば、無線通信デバイス140は、SIMの優先順位を比較することに基づいて、アイドルモードタスクを移動させるSIMを選択することができる。より低い優先度を有するSIMは、そのアイドルモードタスクを移動するように選択されてもよい。すなわち、適合はSIMの優先度に基づいて行われ、SIMの優先度は、ユーザによって事前に定義されてもよいし、SIMのうちのどれがより高いQoS要件を有するかに基づいてもよい。最も高い優先度を有するSIMは、プライマリ受信モジュール、例えば第１の受信モジュールRX1に割り当てられてもよく、それは例えば帯域幅、感度などの性能については好適であるが、消費電力は高くなる。より低いQoS要件を有するSIMは、より低い優先度を有していてよく、そのアイドルモードタスクを処理するようセカンダリ受信モジュール、例えば第２の受信モジュールRX2に割り当ててよい。セカンダリ受信モジュールは、プライマリ受信モジュールと比較して性能は低いが、電力消費が低い。
【００６６】
本明細書のいくつかの実施形態によれば、無線通信デバイス140は、それぞれのSIMについて決定されたそれぞれのセル及びRATのスループットまたはレイテンシを比較することに基づいて、アイドルモードタスクを移動させるSIMを選択することができる。
決定されたセルおよびRATの、より低いスループットまたはより大きいレイテンシを有するSIMは、そのアイドルモードタスクを第２または第３の受信モジュールに移動するように選択されてよい。
【００６７】
本明細書のいくつかの実施形態によれば、無線通信デバイス140は、最小総消費電力に基づいて、アイドルモードタスクを移動させる必要があるSIMを決定することができる。例えば、それぞれ異なる受信モジュールは、それぞれ異なるRAT等に対してそれぞれ異なる電力消費又は性能を有してよい。決定されたそれぞれのセルおよびRATを有するすべてのSIMのアイドルモードタスクの消費電力が比較され、SIMが選択されてよく、そのアイドルモードタスクが特定の受信モジュールによって処理されて総消費電力が最小限に抑えられる。
【００６８】
つまり、スループット、レイテンシまたは電力消費に基づいてセルおよびRATを決定することにより、それぞれのSIMについてキャンプオンする最良の可能なセルおよびRATを選択することができる。さらに、アイドルモードタスクに基づいて少なくとも一つのSIMを受信モジュールに適合させること、すなわち、選択されたSIMについてアイドルモードタスクを受信モジュールが処理することを可能にすることによって、アイドルモードタスクを実行するための複数受信機能は、実際にアイドルモード消費電力を最小にする必要がある場合にのみ有効化される。したがって、本明細書の実施形態は、サポートされているすべてのSIMに対するRATおよびセルの最適化された選択のための改良された方法を提供すると同時に、無線通信デバイスにおけるアイドルモード中の最適化された無線リソースの管理を提供する。
【００６９】
図２に関連して上述したセルおよび無線アクセス技術を選択するための無線通信デバイス140における方法の動作を実行するために、無線通信デバイス140は、図３に示す以下の回路、ユニットまたはモジュールを備える。上述したように、無線通信システム100は、任意の一つまたは複数の2G、3G、4GまたはLTEネットワーク、WiMAX、WLANまたはWiFiなどを含む。無線通信デバイス140は、例えば、制御ユニット310と、選択ユニット312と、RFユニット320と、SIM1管理ユニット314と、SIM2管理ユニット316などを備えてよい。RFユニット320は、ネットワークノードとの間で無線信号を送受信するために、任意の無線リソースまたは無線インターフェース、たとぇば無線受信機または送信機などを表していてよい。RFユニット320は、図３に示すように、複数の受信モジュールRX1、RX2、RX3を含む。
【００７０】
本明細書の実施形態によれば、通信デバイス140は、例えば、無線通信システム100内の複数のRATおよびセルの性能を推定することに基づいて第１の受信モジュールを使用して第１のSIMについてキャンプオンする第１のセルおよび第１のRATを決定するように構成されたSIM1管理ユニット314によって、そのようにするよう構成される。
【００７１】
通信デバイス140はさらに、例えば、無線通信システム100内の複数のRATおよびセルの性能を推定することに基づいて第２の受信モジュールを使用して第２のSIMについてキャンプオンする第２のセルおよび第２のRATを決定するように構成されたSIM2管理ユニット316によって、そのようにするよう構成される。
【００７２】
通信装置140は、例えば、決定された第１および第２のセルおよびRATを有する第１および第２のSIMのアイドルモードタスクが時間的に重複するかどうかを判定するように構成された制御ユニット310によって、そのようにするよう構成される。
【００７３】
アイドルモードタスクが時間的に重複しない場合、無線通信デバイス140は、第１の受信モジュールまたは第２の受信モジュールを使用して第１および第２のSIMのアイドルモードタスクを処理するように構成される。
【００７４】
決定されたセルおよびRATを有する第１および第２のSIMのアイドルモードタスクが時間的に少なくとも部分的に重複する場合、通信デバイス140は、例えば、アイドルモードタスクを第３の受信モジュールに移動させるSIMを第１および第２のSIMから選択するように構成された選択ユニット312によって、および例えば、選択されたSIMのアイドルモードタスクを第３受信モジュールが処理することを可能にするよう構成された制御ユニット310によって、そのようにするよう構成される。
【００７５】
本明細書のいくつかの実施形態によれば、第１の受信モジュールと第２の受信モジュールとは同じであってよい。
【００７６】
本明細書のいくつかの実施形態によれば、第３の受信モジュールは、第１の受信モジュールまたは第２の受信モジュールと同じであってもよい。
【００７７】
本明細書のいくつかの実施形態によれば、チャネル帯域幅は、セル内のネットワークノードおよび／または無線通信デバイスのマルチ入力マルチ出力（MIMO）、キャリアアグリゲーション、デュアル接続、変調と符号化、またはマルチキャリア能力の情報に基づいてスループットまたはレイテンシを推定する際に考慮してよい。
【００７８】
本明細書のいくつかの実施形態によれば、スループットまたはレイテンシを推定する際に、移動度の理由からキャリア周波数を考慮に入れることができる。
【００７９】
本明細書のいくつかの実施形態によれば、セルのネットワーク負荷は、スループットまたはレイテンシを推定する際に考慮されてよい。
【００８０】
本明細書のいくつかの実施形態によれば、アイドルモードタスクは、同期手順、ページング受信、ダウンリンク割り当ての周期的監視、信号強度測定、またはブロードキャストおよびマルチキャストデータの受信のうちの少なくとも一つを含むことができる。
【００８１】
本明細書のいくつかの実施形態によれば、無線通信デバイス140は、例えば、SIMの優先順位を比較することに基づいてアイドルモードタスクを第３の受信モジュールに移動させるSIMを第１および第２のSIMから選択するように構成された選択ユニット312によって構成され、より低い優先順位を持つSIMが、アイドルモードタスクを第３の受信モジュールに移動させるよう選択されてよい。
【００８２】
本明細書のいくつかの実施形態によれば、無線通信デバイス140は、それぞれのSIMについて決定されたそれぞれのセル及びRATのスループットまたはレイテンシを比較することに基づいて、アイドルモードタスクを第３の受信モジュールに移動させるSIMを第１および第２のSIMから選択するように構成されてよく、決定されたセルおよびRATの、より低いスループットまたはより高いレイテンシを有するSIMが、アイドルモードタスクを第３の受信モジュールに移動させるよう選択されてよい。
【００８３】
本明細書のいくつかの実施形態によれば、ワイヤレス通信デバイス140は、最小総電力消費に基づいてアイドルモードタスクを第３の受信モジュールに移動させるSIMを第１および第２のSIMから選択するように構成されてもよい
本明細書のいくつかの実施形態によれば、少なくとも二つのそれぞれ異なるRATの性能がそれぞれのSIMについて推定されてもよい。
【００８４】
本明細書のいくつかの実施形態によれば、複数のRATおよびセルの性能は、スループット、レイテンシ、移動度および電力消費のうちの少なくとも一つまたはそれらの組み合わせに基づいて推定されてもよい。
【００８５】
当業者であれば、上述した制御ユニット310、選択ユニット312、SIM1管理ユニット314およびSIM2管理ユニット316は、一つのユニット、アナログおよびデジタル回路の組み合わせ、ソフトウェアおよび／またはファームウェアおよび／または各ユニットの機能を実行する任意の他のデジタルハードウェアで構成された、図３に示すプロセッサ330などの一つまたは複数のプロセッサを指してもよい。これらのプロセッサのうちの一つまたは複数、アナログおよびデジタル回路ならびに他のデジタルハードウェアの組合せは、単一の特定用途向け集積回路（ASIC）に含まれてよく、または複数のプロセッサおよび様々なアナログ／デジタルハードウェアが、個別にパッケージングされているか、システムオンチップ（SoC）に組み立てられているかに関係なく、いくつかの個別のコンポーネントに分散されていてもよい。
【００８６】
無線通信デバイス140は、一つまたは複数のメモリユニットを備えるメモリ340をさらに備えることができる。メモリ340は、情報、例えばセルのリスト、スループットおよびレイテンシ測定値およびデータ、ならびに通信デバイス140で実行される場合の本明細書の方法を実行するための設定を格納するために使用されるように構成される。
【００８７】
無線通信システム100におけるセルおよびRAT選択のための無線通信デバイス140における本明細書の実施形態は、無線通信デバイス140内のプロセッサ330などの一つまたは複数のプロセッサを介して、本明細書の実施形態の機能及び動作を実行するためのコンピュータプログラムコードと共に実施されてよい。上述のプログラムコードはまた、例えば無線通信デバイス140にロードされるときに本明細書の実施形態を実行するためのコンピュータプログラムコードを担持するデータキャリアの形で、コンピュータプログラム製品として提供されてもよい。そのようなキャリアの一つは、CD-ROMディスクの形態であってもよい。しかしながら、メモリスティックのような他のデータキャリアでも実現可能である。コンピュータプログラムコードは、さらに、サーバ上の純粋なプログラムコードとして提供され、無線通信デバイス140にダウンロードされてもよい。
【００８８】
「含む（comprise）」または「含んでいる（comprising）」という用語を使用する場合、それは非限定的、すなわち、「少なくとも〜から成る」を意味すると解釈されるべきである。
【００８９】
本明細書の実施形態は上述した好適な実施形態に限定されない。様々な代替、変形および均等物を使用することができる。したがって、上記実施形態は、添付の特許請求の範囲によって規定される本発明の範囲を限定するものと解釈されるべきではない。
【図１】
2019507977.tif 000005
【図２】
2019507977.tif 000006
【図３】
2019507977.tif 000007
【国際調査報告】
2019507977.tif 000008
2019507977.tif 000009
2019507977.tif 000010